(57)【要約】【課題】ホース等の管路の閉塞を検知できる加湿装置を提供すること。【解決手段】加湿装置は、加湿通路（２５）内、かつ、加湿ロータ（２１）の加湿領域よりも下流側に設けられた温度センサ（３１）と、ヒータ（２７）および加湿ファン（２６）をオンにして、上記加湿通路（２５）に空気を流した後、所定時間経過したときに、上記温度センサ（３１）により検出された空気の温度が、所定温度以下のときに上記加湿通路（２５）に連なる管路（３５）が閉塞していると判定する閉塞判定部（１１０）とを含む。【選択図】図３
2016085007.tif 000002
【特許請求の範囲】
【請求項１】
加湿ロータ（２１）と、
この加湿ロータ（２１）の吸湿領域を経由する吸湿通路（２２）と、
この吸湿通路（２２）に空気を流す吸湿ファン（２３）と、
上記加湿ロータ（２１）の加湿領域を経由する加湿通路（２５）と、
この加湿通路（２５）に空気を流す加湿ファン（２６）と、
上記加湿通路（２５）内において上記加湿ロータ（２１）の加湿領域よりも上流側に設けられたヒータ（２７）と、
上記加湿通路（２５）内、かつ、上記加湿ロータ（２１）の加湿領域よりも下流側に設けられた温度センサ（３１）と、
上記ヒータ（２７）および上記加湿ファン（２６）をオンにして、上記加湿通路（２５）に空気を流した後、所定時間経過したときに、上記温度センサ（３１）により検出された空気の温度が、所定温度以下のときに上記加湿通路（２５）に連なる管路（３５）が閉塞していると判定する閉塞判定部（１１０）と
を備えることを特徴とする加湿装置。
【請求項２】
請求項１に記載の加湿装置において、
上記閉塞判定部（１１０）は、上記温度センサ（３１）により検出された上記空気の温度が予め定められた設定値以上であると、上記閉塞判定部（１１０）の判定を停止することを特徴とする加湿装置。
【請求項３】
請求項１または２に記載の加湿装置において、
上記所定温度は、外気温度よりも所定値高い温度であることを特徴とする加湿装置。
【請求項４】
請求項１から３のいずれか１つに記載の加湿装置において、
上記閉塞判定部（１１０）は、上記温度センサ（３１）により検出された空気の温度が、上記所定時間経過したときに、上記所定温度以下であるか否かの判定を、外気温度が予め定められた外気設定温度以下のときに行うことを特徴とする加湿装置。
【請求項５】
請求項１から４のいずれか１つに記載の加湿装置において、
上記閉塞判定部（１１０）が、上記加湿通路（２５）に連なる管路（３５）が閉塞していると判定すると、閉塞したとの報知を行わせる報知部を備えることを特徴とする加湿装置。
【請求項６】
請求項１から５のいずれか１つに記載の加湿装置において、
上記ヒータ（２７）の出力を、外気温度に基づいて、その外気温度が高いほど低くなるように制御するヒータ出力制御部（１１３）を備えることを特徴とする加湿装置。
【請求項７】
請求項１から６のいずれか１つに記載の加湿装置において、
上記閉塞判定部（１１０）が、上記管路（３５）が閉塞しているか否かの判定を行うときの上記ヒータ（２７）の出力を、上記加湿通路（２５）に連なる管路（３５）の長さ長短に基づいて、高低に設定するためのヒータ出力設定部（４３）を備えることを特徴とする加湿装置。
【請求項８】
請求項１から７のいずれか１つに記載の加湿装置において、
上記閉塞判定部（１１０）が、上記管路（３５）が閉塞しているか否かの判定を行うときの上記加湿ファン（２６）の回転速度を、上記加湿通路（２５）に連なる管路（３５）の長短に基づいて、高低に設定するための加湿ファン速度設定部（４４）を備えることを特徴とする加湿装置。
【請求項９】
加湿ロータ（２１）と、
この加湿ロータ（２１）の加湿領域を経由する加湿通路（２５）と、
この加湿通路（２５）に空気を流す加湿ファン（２６）と、
上記加湿通路（２５）内において上記加湿ロータ（２１）の加湿領域よりも上流側に設けられたヒータ（２７）と、
上記加湿通路（２５）に連なる管路（３５）の出口の近傍に設けられた温度センサ（３７）と、
上記ヒータ（２７）および上記加湿ファン（２６）をオンにして、上記加湿通路（２５）に空気を流した後、所定時間経過したときに、上記温度センサ（３７）により検出された空気の温度が、所定温度以下のときに上記加湿通路（２５）に連なる管路（３５）が閉塞していると判定する閉塞判定部と
を備えることを特徴とする加湿装置。
【発明の詳細な説明】
【技術分野】
【０００１】
この発明は、加湿装置に関する。
【背景技術】
【０００２】
従来、加湿装置としては、室外機上に搭載されて、外気から水分を吸収した加湿空気を、ホースを通して、室内機に供給するようにしたものがある（特許文献１：特開２００１−４１５１１号公報）。
【０００３】
この従来の加湿装置は、加湿ロータと、この加湿ロータの吸湿領域を通る吸湿通路と、この吸湿通路に外気を送る吸湿ファンと、上記加湿ロータの加湿領域を通る加湿通路と、上記加湿通路に空気を送る加湿ファンと、上記加湿ロータよりも上流側の加湿通路に設けられたヒータとを有している。そして、この従来の加湿装置は、上記加湿ロータの吸湿領域に、上記吸湿通路を通る外気から水分を吸湿させる一方、上記加湿通路を通るヒータで加熱された加熱空気に加湿ロータの加湿領域から水分を放出させて、加湿空気を作成し、この加湿空気を、上記加湿通路に連なるホースを通して室内機に導いて、室内に加湿空気を供給するようにしている。
【先行技術文献】
【特許文献】
【０００４】
【特許文献１】特開２００１−４１５１１号公報
【発明の概要】
【発明が解決しようとする課題】
【０００５】
ところが、上記従来の加湿装置では、ホース等の施工不良や、長期休止後のホース内の結露水の滞留によって、ホースが閉塞する場合があるが、ホースの閉塞を検知することができないという問題があった。ホースが閉塞すると、加湿空気が流れないから、加湿機能が損なわれ、また、ヒータの温度上昇に至る場合がある。
【０００６】
そこで、この発明の課題は、ホース等の管路の閉塞を検知できる加湿装置を提供することにある。
【課題を解決するための手段】
【０００７】
上記課題を解決するため、この発明の加湿装置は、
加湿ロータと、
この加湿ロータの吸湿領域を経由する吸湿通路と、
この吸湿通路に空気を流す吸湿ファンと、
上記加湿ロータの加湿領域を経由する加湿通路と、
この加湿通路に空気を流す加湿ファンと、
上記加湿通路内において上記加湿ロータの加湿領域よりも上流側に設けられたヒータと、
上記加湿通路内、かつ、上記加湿ロータの加湿領域よりも下流側に設けられた温度センサと、
上記ヒータおよび上記加湿ファンをオンにして、上記加湿通路に空気を流した後、所定時間経過したときに、上記温度センサにより検出された空気の温度が、所定温度以下のときに上記加湿通路に連なる管路が閉塞していると判定する閉塞判定部と
を備えることを特徴としている。
【０００８】
上記構成の加湿装置は、上記管路が結露水等で閉塞されていると、加湿通路から管路側への空気の流れが生じないため、加湿通路の加湿ロータの下流側に設けた温度センサで検出される空気の温度が上昇しないことを利用して、上記閉塞判定部によって、管路の閉塞を判定する。
【０００９】
すなわち、上記閉塞判定部は、上記ヒータおよび加湿ファンをオンにして、上記加湿通路に空気を流した後、所定時間経過したときに、上記加湿通路内、かつ、上記加湿ロータの加湿領域よりも下流側に設けられた温度センサにより検出された空気の温度が、所定温度以下のときに上記加湿通路に連なる管路が閉塞していると判定するので、管路の閉塞を、加湿装置側で確実に検出できる。
【００１０】
特に、室内機側の温度センサ等からの信号を受けないで、管路の閉塞を検知できるので、装置構成が簡素になり、かつ、制御がシンプルになる。
【００１１】
１実施形態では、
上記閉塞判定部は、上記温度センサにより検出された上記空気の温度が予め定められた設定値以上であると、上記閉塞判定部の判定を停止する。
【００１２】
このように、上記空気の温度が予め定められた設定値を、例えば、ヒータが垂下制御している状態の温度に設定することによって、ヒータの垂下制御の直前の温度が高くなっている状態のときに、上記閉塞判定部の判定を停止するので、管路の閉塞の有無についての誤検出を防止できる。
【００１３】
１実施形態では、
上記所定温度は、外気温度よりも所定値高い温度である。
【００１４】
上記実施形態によれば、上記所定温度は、外気温度よりも所定値高い温度であるから、外気の温度によって、管路の閉塞について誤検出が生じるのを防止できる。
【００１５】
１実施形態では、
上記閉塞判定部は、上記温度センサにより検出された空気の温度が、上記所定時間経過したときに、上記所定温度以下であるか否かの判定を、外気温度が予め定められた外気設定温度以下のときに行う。
【００１６】
上記実施形態によれば、上記温度センサにより検出された空気の温度が、上記所定時間経過したときに、上記所定温度以下であるか否かの判定を、外気温度が予め定められた外気設定温度以下のときに行うので、外気の温度の影響を受けないで、管路の閉塞の有無の識別を確実にできて、管路の閉塞の誤検出を防止できる。
【００１７】
１実施形態は、
上記閉塞判定部が、上記加湿通路に連なる管路が閉塞していると判定すると、閉塞したとの報知を行わせる報知部を備える。
【００１８】
上記実施形態によれば、管路の閉塞をユーザに報知することができる。
【００１９】
１実施形態は、
上記ヒータの出力を、外気温度に基づいて、その外気温度が高いほど低くなるように制御するヒータ出力制御部を備える。
【００２０】
上記実施形態によれば、上記ヒータ出力制御部によって、上記ヒータの出力を、外気温度に基づいて、その外気温度が高いほど低くなるように制御するので、外気の温度の影響を少なくして、管路の閉塞についての誤検出を防止することができる。
【００２１】
１実施形態では、
上記閉塞判定部が、上記管路が閉塞しているか否かの判定を行うときの上記ヒータの出力を、上記加湿通路に連なる管路の長さが長くなる程、ヒータの出力が大きくなるように設定する。
【００２２】
上記実施形態によれば、管路の長さが長くなる程、ヒータの出力が大きくなるように設定するので、管路の閉塞の誤検出を防止できる。
【００２３】
１実施形態は、
上記閉塞判定部が、上記管路が閉塞しているか否かの判定を行うときの上記加湿ファンの回転速度を、上記加湿通路に連なる管路の長短に基づいて、高低に設定するための加湿ファン速度設定部を備える。
【００２４】
上記実施形態によれば、上記加湿ファン速度設定部によって、加湿ファンの回転速度を、管路の長さの長短に基づいて、高低に設定できるので、管路の長さに殆ど影響をうけないで、正確に管路の閉塞を検出できる。
【００２５】
この発明の加湿装置は、
加湿ロータと、
この加湿ロータの加湿領域を経由する加湿通路と、
この加湿通路に空気を流す加湿ファンと、
上記加湿通路内において上記加湿ロータの加湿領域よりも上流側に設けられたヒータと、
上記加湿通路に連なる管路の出口の近傍に設けられた温度センサと、
上記ヒータおよび上記加湿ファンをオンにして、上記加湿通路に空気を流した後、所定時間経過したときに、上記温度センサにより検出された空気の温度が、
所定温度以下のときに上記加湿通路に連なる管路が閉塞していると判定する閉塞判定部と
を備えることを特徴としている。
【００２６】
上記構成によれば、上記閉塞判定部によって、上記ヒータおよび上記加湿ファンをオンにして、上記加湿通路に空気を流した後、所定時間経過したときに、上記加湿通路に連なる管路の出口の近傍に設けられた温度センサにより検出された空気の温度が、所定温度以下のときに上記加湿通路に連なる管路が閉塞していると判定するので、管路の閉塞を簡単、かつ、確実に検出することができる。
【発明の効果】
【００２７】
この発明によれば、上記閉塞判定部によって、ホース等の管路の閉塞を検知できる。
【図面の簡単な説明】
【００２８】
【図１】この発明の第１実施形態の加湿装置の概略断面図である。
【図２】上記第１実施形態の加湿装置の加湿機能を説明する模式図である。
【図３】上記第１実施形態の加湿装置の制御装置の機能ブロック図である。
【図４】上記第１実施形態の加湿装置の閉塞判定部のフローチャートである。
【図５】上記第１実施形態の加湿装置の閉塞判定部のフローチャートである。
【図６】上記第１実施形態の加湿装置の閉塞判定部のフローチャートである。
【図７】外気の温度が−５℃で、閉塞なしと、閉塞ありとの場合について、経過時間と吹出し温度との関係を示すグラフである。
【図８】外気の温度が２４℃で、閉塞なしと、閉塞ありとの場合について、経過時間と吹出し温度との関係を示すグラフである。
【図９】ホースの長さをパラメータとして、外気温度とヒータ出力との関係を示すグラフである。
【発明を実施するための形態】
【００２９】
以下、この発明を図示の実施形態により詳細に説明する。
【００３０】
（第１実施形態）
図１において、１は室外機、２はこの室外機１上に搭載された加湿装置、３はこの加湿装置２から加湿空気が供給される室内機である。
【００３１】
この加湿装置２は、図１および２に示すように、円板状の加湿ロータ２１を有する。この加湿ロータ２１は、シリカゲル、ゼオライト、アルミナ等の吸湿材を例えばハニカム状または多孔多粒状に成形してなる。この加湿ロータ２１は、図２に模式的に示すように、中心軸の周りに図示しないモータによって矢印Ｒの方向に回転して、その回転にともなって、各部が順次、吸湿領域Ａ、加湿領域Ｈ、熱回収領域Ｔになるようにしている。上記吸湿領域Ａを、吸湿通路２２が経由し、この吸湿通路２２に空気を流す吸湿ファン２３を設けている。また、上記熱回収領域Ｔおよび加湿領域Ｈを順次略Ｕ字状に加湿通路２５が経由し、この加湿通路２５に空気を流す加湿ファン２６を設けている。上記加湿通路２５の熱回収領域Ｔと加湿領域Ｈとの間に、ヒータ２７を設けている。熱回収領域Ｔから熱回収して、比較的冷たい外気ｃａを予熱し、この予熱された空気ｐａをヒータ２７でさらに加熱して高温の空気ｈｈにして、この高温の空気ｈｈを、加湿領域Ｈに流して、加湿領域Ｈから水分を吸湿して、加湿空気ｈａを生成するようにしている。
【００３２】
また、上記加湿ロータ２１は、図１に示すように、ケーシング３０内に配置して、このケーシング３０内を図示しない仕切り板で仕切って、図２に示す吸湿領域Ａを経由する吸湿通路２２と、上記熱回収領域Ｔおよび加湿領域Ｈを経由する上記加湿通路２５とを形成している。
【００３３】
また、上記加湿通路２５の加湿ロータ２１の加湿領域Ｈよりも下流側、かつ、加湿ファン２６の下流側に、加湿空気ｈａの温度を検出する例えばサーミスタ等からなる温度センサ３１を設けている。また、上記加湿通路２５の下流端側には、開閉するダンパー３２を設けている。
【００３４】
上記加湿通路２５の下流端には、管路の一例としてのＵ字状に屈曲したホース３５の一端を接続し、このホース３５の他端を室内機３のダクト３６に接続している。このダクト３６には、温度センサの一例としての温湿度センサ３７を設けている。
【００３５】
一方、上記加湿通路２５のヒータ２７の上流側には、温度ヒューズ４７と安全ヒューズ４８を設けている。上記温度ヒューズ４７は、安全ヒューズ４８よりも低い温度で溶断する。
【００３６】
上記加湿装置２は、図３の機能ブロック図に示す制御装置１００を備え、この制御装置１００は、マイクロコンピュータと入出力回路等からなる。上記制御装置１００は、加湿ロータ２１を駆動する加湿ロータ用モータ２１０、加湿ファン２６、吸湿ファン２３、ヒータ２７、室内機３の表示ランプでホース３５の閉塞を報知する報知装置４１を制御し、また、温度センサ３１、ヒータ出力設定部４３、加湿ファン速度設定部４４から、温度検出信号、ヒータ出力設定信号および加湿ファン速度設定信号を受ける。
【００３７】
また、上記制御装置１００は閉塞判定部１１０を備え、この閉塞判定部１１０は、ソフトウェアによって構成されている。この閉塞判定部１１０は、ホース３５が結露水５０等で閉塞されていると、加湿通路２５からホース３５側への空気の流れが生じないため、温度センサ３１で検出される空気の温度が上昇しないことを利用して、後述する図４、５および６のフローチャートに示す判定動作を行う。
【００３８】
また、上記閉塞判定部１１０は、図３に示すように、空気の温度（吹出し温度）による判定停止部１１１と、外気温度による判定停止部１１２と、ヒータ出力制御部１１３とを含む。
【００３９】
上記空気の温度（吹出し温度）による判定停止部１１１は、上記温度センサ３１により検出された空気の温度（吹出し温度）が予め定められた設定値（例えば、５８℃）以上であると、閉塞判定部１１０の判定動作を停止させて、誤検出を防止する。これは、上記温度センサ３１により検出された空気の温度が例えば、５８℃以上であると、ヒータ２７の垂下制御をするほどの状態であって、そのため、上記空気の温度が高くなったと考えられるからである。
【００４０】
上記外気温度による判定停止部１１２は、閉塞判定部１１０の判定動作を、外気温度が予め定められた外気設定温度を超えると停止させるものである。すなわち、上記外気温度による判定停止部１１２は、温度センサ３１により検出された空気の温度が、上記所定時間経過したときに、上記所定温度以下であるか否かの閉塞判定部１１０による判定を、外気温度が予め定められた外気設定温度（例えば、１６℃）以下のときに行わせて、外気が、例えば、１６℃を超える高温であるときに閉塞についての判定を行わせなくて、誤検出を防止するものである。
【００４１】
これは、図７および８に示される実験結果に基づくものである。すなわち、図７に示すように、外気温度が−５℃のときには、温度センサ３１で検出される空気の温度、つまり、吹出し温度が、閉塞なしの場合は四角の点をつなぐ折れ線で示されるように上昇する一方、閉塞ありの場合は三角の点をつなぐ折れ線で示されるようにあまり上昇しないから、上記吹出し温度の高低で、閉塞の有無を正確に判定できるのに対して、図８に示すように、外気温度が２４℃のときには、温度センサ３１で検出される空気の温度（吹出し温度）が、閉塞なしの場合（四角の点をつなぐ折れ線）と閉塞ありの場合は（三角の点をつなぐ折れ線）とで、差異が少なくて、上記吹出し温度の高低で、閉塞の有無を正確に判定できないからである。
【００４２】
上記ヒータ出力制御部１１３は、ヒータ２７の出力を、外気温度に基づいて、その外気温度が高いほど低くなるように制御する。すなわち、上記ヒータ出力制御部１１３は、ヒータ２７の出力を、外気温度が高いとき低くする一方、外気温度が低いとき高くして、外気温度の影響を少なくして、誤検出を防止するようにしている。
【００４３】
上記外気温度は、室外機１にある図示しない外気温度センサによって検出している。あるいは、加湿装置２に、別途、図示しない外気温度センサを設けて、その外気温度センサによって外気温度を検出してもよい。
【００４４】
一方、上記ヒータ出力設定部４３は、閉塞判定部１１０が、ホース３５が閉塞しているか否かの判定を行うときのヒータ２７の出力を、上記ホース３５の長さの長短に基づいて、高低に設定するためのもので、ホース３５の長さを入力することによって、ヒータ２７の出力を設定する。
【００４５】
したがって、上記ヒータ出力制御部１１３およびヒータ出力設定部４３によって、ヒータ２７の出力は、図９に示すように、ホース３５の長さをパラメータとして、外気温度が高くなる程、ヒータ２７の出力が小さくなり、また、ホース３５の長さが長くなる程、ヒータ２７の出力が大きくなる。
【００４６】
上記加湿ファン速度設定部４４は、閉塞判定部１１０が、ホース３５が閉塞しているか否かの判定を行うときの加湿ファン２６の回転速度を、上記ホース３５の長さの長短に基づいて、高低に設定するためのもので、ホース３５の長さを入力することによって、加湿ファン２６の回転速度を設定する。これにより、ホース３５が長くても、ホース３５の閉塞を正確に検出することができる。
【００４７】
なお、上記ヒータ出力設定部４３および加湿ファン速度設定部４４は、一つに統合して、単にホース３５の長さを入力することによって、ヒータ２７の出力と加湿ファン２６の回転速度との両方を設定するようにしてもよい。
【００４８】
上記構成の加湿装置２は、次のように動作する。
【００４９】
なお、この加湿装置２の起動時運転、乾燥運転、加湿運転は、従来より周知のもので、本件発明の要旨とは、関係が少ないので、以下では、閉塞検出運転（起動時運転の後、乾燥運転の前に行われる）に絞って、説明する。
【００５０】
まず、図４のステップＳ１で、ダンパー３２を開放し、加湿ロータ２１と吸湿ファン２３を停止した状態で、加湿ファン２６とヒータ２７を駆動する。
【００５１】
このとき、加湿ファン２６の回転速度は、上述のように、加湿ファン速度設定部４４で設定された速度であり、ヒータ２７の出力は、ヒータ出力設定部４３とヒータ出力制御部１１３によって、定められた出力である。
【００５２】
このように、上記加湿ファン速度設定部４４によって、加湿ファン２６の回転速度を、ホース３５の長さの長短に基づいて、高低に設定しているので、ホース３５の長さに殆ど影響をうけないで、正確にホース３５の閉塞の検出ができる。また、上記ヒータ出力制御部１１３およびヒータ出力設定部４３によって、ヒータ２７の出力は、図９に示すように、ホース３５の長さをパラメータとして、外気温度が高くなる程、ヒータ２７の出力が小さくなり、また、ホース３５の長さが長くなる程、ヒータ２７の出力が大きくなるように制御しているので、外気温度およびホース３５の長さの影響を少なくして、正確にホース３５の閉塞の検出ができる。
【００５３】
なお、図９では、外気温度とヒータ出力との関係は、右下がり直線の関係であるが、右下がりの関係であれば、例えば、双曲線や他の曲線や折れ線であってもよい。
【００５４】
次に、ステップＳ２に進んで、閉塞検出運転を開始してから、所定時間、例えば、１０分が経過するのを待ち、１０分が経過すると、ステップＳ３に進む。
【００５５】
ステップＳ３では、所定時間が経過する迄の間に、温度センサ３１の検出した吹出し温度が設定値以上になったか否かを判定し、是ならステップＳ４に進んで、閉塞判定部１１０の判定動作を停止し、ステップＳ６の乾燥運転に進む。一方、ステップＳ３で否と判定すると、ステップＳ５に進む。
【００５６】
より具体的には、温度センサ３１により検出された空気の温度（吹出し温度）が予め定められた設定値（例えば、５８℃）以上であると、上記空気温度による判定停止部１１１によって、閉塞判定部１１０の判定動作が停止させられる。これは、上記温度センサ３１により検出された吹出し温度が例えば５８℃以上であると、ヒータ２７の垂下制御をするほどの状態であって、そのため、閉塞の有無に関係無く、上記吹出し温度が高くなったと考えられるからである。
【００５７】
一方、ステップＳ５では、温度センサ３１で検出した空気の温度（吹出し温度）が、外気温度よりも所定値高い所定温度以下であるか否かを判定する。
【００５８】
このように、上記所定温度は、外気温度よりも所定値高い温度であるから、外気の温度によって、ホース３５の閉塞について誤検出が生じるのを防止できる。
【００５９】
具体的には、図７に示すように、外気の温度が−５℃であるとすると、温度センサ３１で検出した空気の温度（吹出し温度）が、この外気温度（−５℃）よりも所定値（３５℃）高い所定温度（３０℃）以下であるか否か判定して、ホース３５が結露水５０等で閉塞しているか否か判定する。ホース３５が結露水５０等で閉塞していると、加湿通路２５をホース３５側に向けて空気が流れないから、図７に示すように、温度センサ３１で検出する吹出し温度が３０℃以下になるのである。
【００６０】
ステップＳ５で、否と判定されて、温度センサ３１で検出した吹出し温度が所定温度を超えていると、ホース３５に閉塞がないとして、ステップＳ６に進んで、乾燥運転に移行する。
【００６１】
一方、ステップＳ５で是と判定されると、図５のステップＳ７に進んで、２回目であるか否か判定される。ステップＳ７で否（１回目）であると判定されると、図６のステップＳ９に進んで、吸湿ファン２３、加湿ロータ２１、加湿ファン２６、ヒータ２７の駆動を停止し、ステップＳ１０に進んで、一定時間が経過するのを待ち、ステップＳ１に戻り、ステップＳ２〜Ｓ５の判定を繰り返す。
【００６２】
一方、ステップＳ７で是と判定されると、つまり、２回目であると判定されると、ステップＳ８に進んで、ホース３５の閉塞を知らせる信号を報知装置４１に出力して、ユーザに音声や画像で、ホース３５の閉塞を知らせる。
【００６３】
このように、ステップＳ７で２回目であると判定して、初めて、ホース３５が閉塞していると判定するので、誤検出の可能性が極めて低くなる。
【００６４】
このように、ホース３５の結露水５０等による閉塞を確実に検出して、ユーザに告知できるので、閉塞状態で、ヒータ２７を長時間運転する可能性が少ない。
【００６５】
もし仮に、ホース３５の閉塞状態でヒータ２７を長時間運転すると、図１に示すように、加湿通路２５を高温の空気ｒｈｈが逆流して、温度ヒューズ４７が溶断する虞がある。
【００６６】
しかし、この第１実施形態の加湿装置によれば、確実に、ホース３５の閉塞を検知して、ユーザに告知できるので、このような温度ヒューズ４７の溶断を防止できる。
【００６７】
また、この第１実施形態の加湿装置２は、加湿通路２５に温度センサ３１を設けて、加湿装置２内で制御を完結しているので、換言すれば、室内機３と信号の授受をしなくても、ホース３５の閉塞を検出できるので、構造が簡単で、制御が簡潔になる。
【００６８】
（第２実施形態）
この第２実施形態の加湿装置については、第１実施形態の図１〜２を援用する。
【００６９】
この第２実施形態の加湿装置は、図１において、第１実施形態で用いた加湿通路２５に設けた温度センサ３１に代えて、室内機３のダクト３６に設けた温度センサ３７を用いた点のみが、第１実施形態の加湿装置２と異なる。
【００７０】
この第２実施形態の加湿装置でも、室内機３のダクト３６に設けた温度センサ３７の出力、つまり、加湿通路２５に連なる管路の一例としてのホース３５の出口の近傍に設けられた温度センサ３７の出力に基づいて、ホース３５の閉塞を検出することができる。
【００７１】
図示しない閉塞判定部は、ヒータ２７および加湿ファン２６をオンにして、上記加湿通路２５に空気を流した後、所定時間経過したときに、室内機３側の温度センサ３７により検出された空気の温度が、所定温度以下のときにホース３５が閉塞していると判定する。
【００７２】
このようにして、簡単に、ホース３５の結露水５０等による閉塞を検知できる。
【００７３】
なお、この場合、室内機３の温度センサ３７から、検出した温度を表す信号を、加湿装置に送信する必要がある。
【００７４】
第１〜第２実施形態および変形例で述べた構成要素は、適宜、組み合わせてもよく、また、適宜、選択、置換、あるいは、削除してもよいのは、勿論である。
【符号の説明】
【００７５】
１  室外機
２  加湿装置
３  室内機
２１  加湿ロータ
２２  吸湿通路
２３  吸湿ファン
２５  加湿通路
２７  ヒータ
３５  ホース
３１，３７  温度センサ
４１  報知装置
４３  ヒータ出力設定部
４４  加湿フアン速度設定部
５０  結露水
１００  制御装置
１１０  閉塞判定部
１１１  吹出し温度による判定停止部
１１２  外気温度による判定停止部
１１３  ヒータ出力制御部
【図１】
2016085007.tif 000003
【図２】
2016085007.tif 000004
【図３】
2016085007.tif 000005
【図４】
2016085007.tif 000006
【図５】
2016085007.tif 000007
【図６】
2016085007.tif 000008
【図７】
2016085007.tif 000009
【図８】
2016085007.tif 000010
【図９】
2016085007.tif 000011